(57)【要約】【課題】前面操作パネル面の外観を損ねることなく電池ケースを開閉する電池ケース蓋を設けることができるガスコンロを提供する。【解決手段】前面操作パネル面６の下部に、グリル扉７のグリル取手部８の両側に位置するようにして操作ボタン９ａ、９ｂと操作ボタン９ｃ、９ｄをそれぞれ横方向に沿って設置し、左側の操作ボタン９ａ、９ｂと火力調整レバー１０ａ、１０ｂとの間に、左側前飾りパネルとして兼用される表面側が平板状の電池ケース蓋１２を開閉自在に設置したことにより、前面操作パネル面６の表面全体をすっきりとした高級感のあるデザインに統一することができる。【選択図】図１
2006003053.tif 000002
【特許請求の範囲】
【請求項１】
コンロ本体の上部に複数のコンロ用バーナを備え、前記コンロ本体の前面に設けた前面操作パネル面の下部側に、前記コンロ用バーナの点火・消火操作を行なうプッシュ式の複数の操作ボタンを左右方向に沿って設置し、前記前面操作パネル面の上部側の前記操作ボタンと対応した位置に、前記各コンロ用バーナの火力調整を左右方向のスライド操作によってそれぞれ行なう複数の火力調整レバーを設置したガスコンロであって、
前記前面操作パネル面の前記操作ボタンと前記火力調整レバーとの間の略全面に位置するようにして、前飾りパネルを兼ねる表面側が平板状の開閉自在な電池ケース蓋を設置し、前記電池ケース蓋の後方側に位置する前記前面操作パネル面の内側に、前記コンロ用バーナの点火用の電源である乾電池を収納する電池ケースを設置した、
ことを特徴とするガスコンロ。
【請求項２】
前記電池ケース蓋の内側の両端側下部を、回転軸受け部を介して前記前面操作パネル面の内側に回転自在に支持して、前記回転軸受け部を回転中心にして前記電池ケース蓋を前方側に開くようにした、
ことを特徴とする請求項１に記載のガスコンロ。
【請求項３】
前記電池ケース蓋の内側に弾性を有する係止片を設け、前記電池ケース蓋を閉じたときに前記係止片が前記電池ケース側に設けた係止部に係止される、
ことを特徴とする請求項２に記載のガスコンロ。
【請求項４】
前記電池ケース蓋の上部に、前記火力調整レバーが左右方向にスライドするための空間となる横長の切欠き部を形成し、前記切欠き部を押えるようにして前記電池ケース蓋の開閉を行なう、
ことを特徴とする請求項２又は３に記載のガスコンロ。
【請求項５】
前記電池ケース蓋の表面側下部と前記操作ボタンとの間に段差面を設けた、
ことを特徴とする請求項１乃至４のいずれか１項に記載のガスコンロ。
【発明の詳細な説明】
【技術分野】
【０００１】
本発明は、ガスコンロに関し、詳しくは前面操作パネル面に、バーナの点火用等の電源としての乾電池が収納される電池ケースを開閉する電池ケース蓋を有しているガスコンロに関する。
【背景技術】
【０００２】
ガスコンロでは、点火及び消火用の操作ボタンによる点火操作（点火つまみの回転操作や操作ボタンのプッシュ操作など）によってバーナ点火装置に点火用火花を発生させてバーナに点火させるための電源として、乾電池が用いられている。このため、従来のガスコンロでは、点火及び消火用の操作ボタン等が設置されている前面操作パネルに着脱自在な電池ケース蓋を設け、前面操作パネル内のこの電池ケース蓋の後方に乾電池を収納した電池ケースを設置している（例えば、特許文献１参照。）。
【特許文献１】特公平７−３３９１５号公報（第２図）
【発明の開示】
【発明が解決しようとする課題】
【０００３】
ところで、上記特許文献１のようなガスコンロでは、前面操作パネル表面の一部に乾電池が出し入れ自在な大きさの開口を形成し、この開口を覆うようにして電池ケース蓋が着脱自在に取付けられている。
【０００４】
このように、従来のガスコンロでは、前面操作パネル表面の一部に形成した開口を覆うようにして別体の電池ケース蓋が取付けられるので、特に上記特許文献１のように、電池ケース蓋が前面操作パネル表面の上部側に設けられる場合はこの電池ケース蓋が目立ってしまい、前面操作パネル面の外観を損ねてしまう。更に、上記特許文献１における電池ケース蓋は、乾電池の大きさに対応した大きさなので、電池ケース蓋を取り外して乾電池を交換する際の作業性が良くなかった。
【０００５】
そこで本発明は、前面操作パネル面の外観を損ねることなく電池ケースを開閉する電池ケース蓋を設けることができ、かつ乾電池の交換作業を容易に行なうことができるガスコンロを提供することを目的とする。
【課題を解決するための手段】
【０００６】
上記目的を達成するために請求項１に記載の発明は、コンロ本体の上部に複数のコンロ用バーナを備え、前記コンロ本体の前面に設けた前面操作パネル面の下部側に、前記コンロ用バーナの点火・消火操作を行なうプッシュ式の複数の操作ボタンを左右方向に沿って設置し、前記前面操作パネル面の上部側の前記操作ボタンと対応した位置に、前記各コンロ用バーナの火力調整を左右方向のスライド操作によってそれぞれ行なう複数の火力調整レバーを設置したガスコンロであって、前記前面操作パネル面の前記操作ボタンと前記火力調整レバーとの間の略全面に位置するようにして、前飾りパネルを兼ねる表面側が平板状の開閉自在な電池ケース蓋を設置し、前記電池ケース蓋の後方側に位置する前記前面操作パネル面の内側に、前記コンロ用バーナの点火用の電源である乾電池を収納する電池ケースを設置したことを特徴としている。
【０００７】
また、請求項２に記載の発明は、前記電池ケース蓋の内側の両端側下部を、回転軸受け部を介して前記前面操作パネル面の内側に回転自在に支持して、前記回転軸受け部を回転中心にして前記電池ケース蓋を前方側に開くようにしたことを特徴としている。
【０００８】
また、請求項３に記載の発明は、前記電池ケース蓋の内側に弾性を有する係止片を設け、前記電池ケース蓋を閉じたときに前記係止片が前記電池ケース側に設けた係止部に係止されることを特徴としている。
【０００９】
また、請求項４に記載の発明は、前記電池ケース蓋の上部に、前記火力調整レバーが左右方向にスライドするための空間となる横長の切欠き部を形成し、前記切欠き部を押えるようにして前記電池ケース蓋の開閉を行なうことを特徴としている。
【００１０】
また、請求項５に記載の発明は、前記電池ケース蓋の表面側下部と前記操作ボタンとの間に段差面を設けたことを特徴としている。
【発明の効果】
【００１１】
請求項１に記載の発明によれば、前面操作パネル面の操作ボタンと火力調整レバーとの間の略全面に位置するようにして、前飾りパネルを兼ねる表面側が平板状の開閉自在な電池ケース蓋を設置したことにより、従来の操作パネル面に見られるような各種操作スイッチやボタン等が多数並んでいる雑然としたデザインから一新し、一見前飾りパネルに電池ケースがないようにして、前面操作パネル面の表面全体をすっきりとしたデザインに統一することができるので、前面操作パネル面の外観の見栄えが良くなる。また、コンロ使用時の煮こぼれ等が、前飾りパネルを兼ねる電池ケース蓋に伝わって流れ落ちる場合があっても、電池ケース蓋の表面全体が平板状ですっきりしているため、手入れの際の清掃がし易くなる。
【００１２】
また、請求項２に記載の発明によれば、電池ケース蓋は、前面操作パネル面の下部側に設置した操作ボタンと前面操作パネル面の上部側に設置した火力調整レバーとの間の略全面に位置するぐらいに大きいので、回転軸受け部を回転中心にして電池ケース蓋を前方側に開くことによって、内側の電池ケースに収納されている乾電池の交換作業を容易に行なうことができる。
【００１３】
また、請求項３に記載の発明によれば、電池ケース蓋を閉じたときに、電池ケース蓋の内側に設けた弾性を有する係止片が電池ケース側に設けた係止部に係止されることにより、電池ケース蓋に不用意に接触した程度で開くことを防止することができる。また、電池ケース蓋に開閉用のつまみ等がないので、手入れの際に引っかかりがなく、清掃がし易くなる。
【００１４】
また、請求項４に記載の発明によれば、電池ケース蓋を開くときに、使用者が人差し指等の指先で電池ケース蓋の上部に形成した横長の切欠き部の任意の位置を軽く押えるようにして手前に引く操作だけでよいので、電池ケース蓋を手前側に容易に開くことができる。また、電池ケース蓋に開閉用のつまみ等がないので、このつまみを触りにいくための注意の必要がなく、高齢者等の方でも簡単に電池ケース蓋を開けることができる。
【００１５】
また、請求項５に記載の発明によれば、電池ケース蓋の表面側下部と前面操作パネル面の下部側に設置した操作ボタンとの間に段差面を設けたことにより、調理時に鍋等から飛散した煮こぼれが電池ケース蓋表面に付着して下方に垂れても、前記段差面で受け止められることにより、その下方に位置する操作ボタンにこの煮こぼれが付着することを防止することができる。
【発明を実施するための最良の形態】
【００１６】
以下、本発明を図示の実施形態に基づいて説明する。図１は、本発明の実施形態に係るガスコンロを示す概略斜視図、図２は、その概略正面図である。なお、図１、図２は、ガスコンロ単体の状態を示しており、実際にはシステムキッチン等に組み込まれて使用される。
【００１７】
本実施形態に係るガスコンロ１はビルトインタイプのコンロであり、コンロ本体２の上部に設けたトッププレート３に３つのバーナ（手前の左右側とその奥側）４ａ、４ｂ、４ｃがそれぞれ設置されており、コンロ本体２内の中央部にはその前後方向に沿ってグリル５が設置されている。コンロ本体２の前面側に設けた前面操作パネル面６の中央部には、グリル５の前面開口を開閉するグリル扉７がその前後方向に摺動自在に装着されている。グリル扉７の下部に取付けた横長のグリル取手部８を手前に引くことにより、グリル扉７と一体に移動するグリル庫（不図示）内に配置したグリル皿（不図示）を取り出すことができる。
【００１８】
前面操作パネル面６の下部には、グリル扉７を中央にしてその左側にバーナ４ｃ、４ａ用の点火・消火を行なう各操作ボタン９ａ、９ｂが略接するようにして横に並べて設置され、グリル扉７を中央にしてその右側にバーナ４ｂとグリル５用の点火・消火を行なう各操作ボタン９ｃ、９ｄが略接するようにして横に並べて設置されている。各操作ボタン９ａ、９ｂ、９ｃ、９ｄはプッシュ式のスイッチであり、押し込むと点火状態となり点火後に離して元の位置に戻しても点火状態が維持され、この状態から消火するときには再度押し込むと消火状態となる。
【００１９】
各操作ボタン９ａ、９ｂ、９ｃ、９ｄの表面は、上方から押し操作しやすいように下部側が前方に突出するように傾斜している。このように、前面操作パネル面６の下部に位置する横長のグリル取手部８と、４つの横長の各操作ボタン９ａ、９ｂ、９ｃ、９ｄを、左右方向に沿って直線状に配列してすっきりとしたデザインにし、操作性と見栄えの両立を図っている。
【００２０】
また、前面操作パネル面６の上部には、グリル扉７を中央にしてその左側にバーナ４ａ、４ｃ用の各火力調整レバー１０ａ、１０ｂが横に並べて設置され、グリル扉７を中央にしてその右側にバーナ４ｂとグリル５用の各火力調整レバー１０ｃ、１０ｄが横に並べて設置されている。各火力調整レバー１０ａ、１０ｂ、１０ｃ、１０ｄは横方向（左右方向）にスライド自在であり、左端側が火力強の位置で、右端側が火力弱の位置である。
【００２１】
前面操作パネル面６の右側中央部には、操作パネル１１が取付けられている。操作パネル１１には、揚げもの調理時の温度設定、炊飯時の温度設定、消火までのタイマー設定などを行なう各操作部が設けられている。また、前面操作パネル面６の左側中央部には、図３に示すように、この前面操作パネル面６の左側前飾りパネルを兼ねている表面側が平板状の電池ケース蓋１２が開閉自在に取付けられている。
【００２２】
電池ケース蓋１２は、図４に示すように、その下面裏側の前面操作パネル面６との間に設けた回転軸受け部１３ａ、１３ｂで回転自在に支持されており、電池ケース蓋１２の裏側には、前面操作パネル面６の内側に取付けた電池ケース１４が設置されている。電池ケース１４の電池室１４ａに収納される乾電池（図では直列に２個連結した単１乾電池）１５は、各操作ボタン９ａ、９ｂ、９ｃ、９ｄによる点火操作（プッシュ操作）によってバーナ点火装置（不図示）に点火用火花を発生させて各バーナ４ａ、４ｂ、４ｃやグリル５に点火させるための電源、及び操作パネル１１の複数の表示用ＬＥＤ１６や内部の回路等を動作させるための電源である。
【００２３】
電池ケース蓋１２の上部には、火力調整レバー１０ａ、１０ｂのレバー軸１７ａ、１７ｂと干渉しないように横長の切欠き部１２ａが形成されており、電池ケース蓋１２を閉じたときに、切欠き部１２ａから火力調整レバー１０ａ、１０ｂが突出する。電池ケース蓋１２は、使用者が人差し指等の指先でこの切欠き部１２ａを軽く押えるようにして手前に引くことにより、下面裏側の回転軸受け部１３ａ、１３ｂを回転中心にして手前側に略水平位置まで開き（図４参照）、電池ケース１４内の乾電池１５の交換を行なうことができる。なお、切欠き部１２ａの中央付近に凹みを形成してもよく、この場合には指先がより載せ易くなり、電池ケース蓋１２の開閉操作が更に容易になる。
【００２４】
電池ケース蓋１２の裏面には、弾性を有する複数（図では３つ）の係止片１２ｂが一体的に形成されており、電池ケース蓋１２を閉じたときに各係止片１２ｂの先端部が電池室１４ａ内の上部縁部に軽く圧接して係止されることによって、電池ケース蓋１２に不用意に接触した程度では開くことはない。また、電池ケース蓋１２の裏面には、各係止片１２ｂの下に近接して左右方向に沿って煮こぼれ防止用のつば部１２ｃが形成されており、電池ケース蓋１２を閉じたときにこのつば部１２ｃが電池室１４ａ内の上部縁部に密着することによって、切欠き部１２ａの隙間から仮に煮こぼれが入っても電池室１４ａ内に侵入することはない。
【００２５】
また、電池ケース蓋１２表面の左下には、電池の絵柄に形成された半透明状の電池交換用表示窓１８が設けられており、その裏側には、乾電池１５の電圧を検知する電圧検知部（不図示）に接続されているＬＥＤ（不図示）が取付けられている。本実施形態では、電池ケース１４内の直列に接続された２本の乾電池１５の電圧が所定電圧値（例えば２．２Ｖ）に低下すると、ＬＥＤを点滅発光させて電池交換用表示窓１８を点滅させ、更に乾電池１５の電圧が低下（例えば２．０Ｖに低下）すると、ＬＥＤを連続発光させて電池交換用表示窓１８を点灯させることにより、使用者に乾電池１５の電圧低下を知らせて、電池交換時期であることを知らせることができる。
【００２６】
このように、本発明の実施形態に係るガスコンロ１は、前面操作パネル面６の下部に、グリル扉７のグリル取手部８の両側に位置するようにして操作ボタン９ａ、９ｂと操作ボタン９ｃ、９ｄをそれぞれ横方向に沿って設置し、左側の操作ボタン９ａ、９ｂと火力調整レバー１０ａ、１０ｂとの間に、左側前飾りパネルとして兼用される表面側が平板状の電池ケース蓋１２を開閉自在に設置することにより、従来の操作パネル面に見られるような各種操作スイッチやボタン等が多数並んでいる雑然としたデザインから一新し、一見前飾りパネルに電池ケース蓋がないようにして、前面操作パネル面６の表面全体をすっきりとした高級感のあるデザインに統一することができる。
【００２７】
また、電池ケース蓋１２は前面操作パネル面６の左側前飾りパネルとして兼用されることによってサイズを大きくすることができ、かつ手前側に略水平位置まで大きく開くことができるので、電池ケース１４内の乾電池１５の交換作業を容易に行なうことができる。また、電池ケース蓋１２の上部に形成した横長の切欠き部１２ａの任意の位置を指先で軽く押えるようにして手前に引く操作だけで容易に開くことができ、かつ電池ケース蓋１２の表面に開閉用のつまみ等を設けなくてもよいので、電池ケース蓋１２の表面をすっきりとしたデザインにすることができる。また、電池ケース蓋１２に開閉用のつまみ等がないので、手入れの際に引っかかりがなく、清掃がし易くなる。更に、電池ケース蓋１２に開閉用のつまみ等がないので、このつまみを触りにいくための注意の必要がなく、高齢者等の方でも簡単に電池ケース蓋１２を開けることができる。
【００２８】
また、コンロ使用時の煮こぼれ等が、前飾りパネルを兼ねる電池ケース蓋１２に伝わって流れ落ちる場合があっても、電池ケース蓋１２の表面全体が平板状ですっきりしているため、手入れの際の清掃がし易くなる。
【００２９】
また、本発明の実施形態に係るガスコンロ１では、図３、図５に示すように、前面操作パネル面６の左側前飾りパネルを兼ねる電池ケース蓋１２と操作ボタン９ａ、９ｂとの間、及び前面操作パネル面６の右側前飾りパネル１９と操作ボタン９ｃ、９ｄとの間に、横長で板状の左前板パネル２０と右前板パネル２１をそれぞれ取付けている。また、各操作ボタン９ａ、９ｂ、９ｃ、９ｄの表面中央部には、裏側にＬＥＤ（不図示）を設けた点火表示窓２２ａ、２２ｂ、２２ｃ、２２ｄがそれぞれ形成されており、各操作ボタン９ａ、９ｂ、９ｃ、９ｄのいずれかを押し込んだ点火動作時に裏側に設けたＬＥＤ（不図示）が点灯することによって、各バーナ４ａ、４ｂ、４ｃやグリル５を見ることなく点火状態を確認することができる。なお、消火時にはこのＬＥＤ（不図示）は消灯しているので、各バーナ４ａ、４ｂ、４ｃやグリル５を見ることなく消火状態を確認することができる。
【００３０】
左前板パネル２０は、電池ケース蓋１２表面に対して少し前方に突出して、左前板パネル２０の上部２０ａと電池ケース蓋１２表面との間に段差が形成されるようにしている。また、左前板パネル２０の下方に位置する操作ボタン９ａ、９ｂの上部側は、左前板パネル２０表面よりも少し奥側（後方側）に位置している。また、右前板パネル２１は、右側前飾りパネル１９表面に対して少し前方に突出して、右前板パネル２１の上部２１ａと右側前飾りパネル１９表面との間に段差が形成されるようにしている。また、右前板パネル２１の下方に位置する操作ボタン９ｃ、９ｄの上部側は、右前板パネル２１の表面よりも少し奥側（後方側）に位置している。
【００３１】
よって、調理時に鍋等から飛散した煮こぼれが電池ケース蓋１２表面に付着して下方に垂れても、突出している左前板パネル２０の上部２０ａで受け止められることにより、その下方に位置する操作ボタン９ａ、９ｂにこの煮こぼれが付着することが防止される。このように、操作ボタン９ａ、９ｂに煮こぼれの付着が防止されることにより、煮こぼれが操作ボタン９ａ、９ｂの間に入って固着することが防止され、長期にわたって円滑に操作ボタン９ａ、９ｂを可動することができる。
【００３２】
操作パネル１１は、図６に示すように、右側前飾りパネル１９の開口１９ａに装着されており、操作パネル１１表面が右側前飾りパネル１９表面よりも少し前方に突出して、操作パネル１１表面の上部１１ａと右側前飾りパネル１９表面との間に段差が形成されるようにしている。操作パネル１１のパネル本体１１ｂに両側面に形成した係止片１１ｃを、右側前飾りパネル１９の裏面側に位置する前面操作パネル面６内の係止部（不図示）に係止して、操作パネル１１が抜けないように固定している。
【００３３】
よって、調理時に鍋等から飛散した煮こぼれが右側前飾りパネル１９表面の上部に付着して下方に垂れても、突出している操作パネル１１の上部１１ａで受け止められることにより、操作パネル１１表面にこの煮こぼれが付着することが防止される。このように、操作パネル１１表面に煮こぼれの付着が防止されることにより、長期にわたって操作パネル１１表面の煮こぼれによる汚れを防止することができる。また、右側前飾りパネル１９表面に付着した煮こぼれが、操作パネル１１の上部１１ａと右側前飾りパネル１９表面との僅かな隙間から右側前飾りパネル１９の裏面側に侵入した場合でも、パネル本体１１ｂの上部１１ｄの後方側に左右方向に沿って段差部１１ｅを設けているので、パネル本体１１ｂの上部１１ｄ上に侵入した煮こぼれはこの段差部１１ｅで受け止められることにより、パネル本体１１ｂ内に煮こぼれが侵入することはない。
【００３４】
また、右側前飾りパネル１９表面の上部に付着した煮こぼれが操作パネル１１の両側から下方に垂れても、突出している右前板パネル２１の上部で受け止められることにより、その下方に位置する操作ボタン９ｃ、９ｄにこの煮こぼれが付着することが防止される。
【００３５】
また、上記した実施形態では、電池ケース蓋１２の上部の切欠き部１２ａを指先で押えて手前に引く操作によって電池ケース蓋１２を開いて、電池ケース１４内の乾電池１５の交換する構成であったが、電池ケース１４の開閉方法としては、例えば、電池ケース蓋１２と電池ケース１４との間の上部側に付勢手段とロック機構を設けて、電池ケース蓋１２を電池ケース１４側に軽く押し込むとロック機構により電池ケース蓋１２が電池ケース１４側に閉じた状態で保持され、この状態から電池ケース蓋１２を更に軽く押し込むと保持状態が解除され、付勢手段により電池ケース蓋１２が手前側に回転しながら開くようにしても良い。
【００３６】
また、このように電池ケース蓋１２と電池ケース１４との間の上部側に付勢手段とロック機構を設けた場合において、電池ケース１４を前面操作パネル面６内から外に引き出せるように構成して、上記したように保持状態が解除後に付勢手段によって電池ケース蓋１２を開いた後に、電池ケース蓋１２を更に手前に引くことによって、電池ケース蓋１２と一体的に電池ケース１４を前面操作パネル面６内から外に引き出して、電池ケース１４の上方から電池交換することもできる。
【００３７】
また、上記のように電池ケース蓋１２と電池ケース１４との間の上部側に付勢手段とロック機構を設けた場合において、電池ケース蓋１２を電池ケース１４に一体的に固着した状態で前面操作パネル面６内から外に引き出せるように構成しても良い。この場合は、電池ケース蓋１２を軽く押し込むとロック機構により電池ケース１４が電池ケース蓋１２により閉じた状態で保持され、この状態から電池ケース蓋１２を更に軽く押し込むと保持状態が解除され、付勢手段により電池ケース蓋１２と一体的に電池ケース１４が前面操作パネル面６内から外に引き出され、電池ケース１４の上方から電池交換することもできる。
【図面の簡単な説明】
【００３８】
【図１】本発明の実施形態に係るガスコンロを示す概略斜視図。
【図２】本発明の実施形態に係るガスコンロを示す概略正面図。
【図３】本発明の実施形態に係るガスコンロの前面操作パネル面の左側を示す概略斜視図。
【図４】本発明の実施形態に係るガスコンロの電池ケース蓋を開いた状態を示す概略斜視図。
【図５】本発明の実施形態に係るガスコンロの前面操作パネル面の右側を示す概略斜視図。
【図６】本発明の実施形態に係るガスコンロの操作パネル上部の段差を示す図。
【符号の説明】
【００３９】
１        ガスコンロ
２        コンロ本体
３        トッププレート
４ａ、４ｂ、４ｃ      バーナ
５        グリル
６        前面操作パネル面
９ａ、９ｂ、９ｃ、９ｄ      操作ボタン
１０ａ、１０ｂ、１０ｃ、１０ｄ      火力調整レバー
１１      操作パネル
１２      電池ケース蓋
１４      電池ケース
１５      乾電池
２０      左前板パネル
【図１】
2006003053.tif 000003
【図２】
2006003053.tif 000004
【図３】
2006003053.tif 000005
【図４】
2006003053.tif 000006
【図５】
2006003053.tif 000007
【図６】
2006003053.tif 000008